(57)【要約】プラスチックまたは他の材料から作られたパレット（１）は、その下側（１０）に複数の中空足（２，３，４，５，６，７，および８）を有する。これらの中空足は、パレット材料を押し下げることで得られる。これらの足のうち、少なくとも１つの足（８）の長さ（L'）は、パレットの長さ(L)または幅(B)にほぼ対応する。この足（８）は、内側の比較的幅の広い支持部（１３，１４，１５）であって、並べて配列され、足（８）の底部分（１６）から突出する該支持部を少なくとも２つ含む。このようにして、商品を満載したいくつかの同じパレット（１）がそれぞれ積み重ねられる火熱テストによれば、各パレット（１）は、当該パレットの直ぐ下のパレット上の商品において発生した炎を消すというユニークな能力を有し、さらに、パレットは優れた寸法安定性をも示す。このことで、パレット（１）は、特に輸送手段である、衝撃の多いローラーコンベヤーによる輸送に適する。
2009519182.tif 000002
【特許請求の範囲】
【請求項１】
プラスチックまたは他の材料から作られ、下側（１０）に複数の中空足（２，３，４，５，６，７，８）を有し、前記足が、パレット材料を押し下げることで得られるタイプのパレット（１）において、
前記足（８）の少なくとも１つは、パレット（１）の長さ（L）または幅（B）にほぼ対応する長さ（L'）を有し、
前記足（８）は、内側に並べて配列され、前記足（８）の底部分（１６）から突出する比較的幅の広い支持部（１３，１４，１５）を少なくとも２つ含むことを特徴とするパレット。
【請求項２】
前記支持部（１３，１４，１５）は中空であることを特徴とする、請求項１記載のパレット。
【請求項３】
少なくとも２つの、好適には３つのウェブ（２１，２２，２３）が前記各支持部（１３）内に備えられたことを特徴とする、請求項１または２記載のパレット。
【請求項４】
前記各足（２，３，４，５，６，７，８）が、対応する前記足の長さ（IまたはL）の０.１０倍から０.５６倍の幅（bまたはB）を有することを特徴とする、請求項１から３までのいずれか１項記載のパレット。
【請求項５】
前記パレットの長さ（L）にほぼ対応する長さ（L’）、および幅（B）をそれぞれ有する前記足（８）が、前記パレットの長手方向および横方向のそれぞれから見て前記パレット（１）の中央に配置されることを特徴とする、請求項１から４までの何れか１項記載のパレット。
【請求項６】
前記長い足（８）の側壁には、前記支持部（１３，１４，１５）の間に位置する場所に、細長い穴（２６，２７，２８，２９）が備えられたことを特徴とする、請求項１から５までの何れか１項記載のパレット。
【請求項７】
少なくとも２つの、好適には４つのウェブ（４０，４１，４２，４３）が、前記各足（８）の壁（３１）と、前記各支持部（１３）の壁（１３a）との間に備えられ、前記ウェブは、例えば略U字型の形状を有することを特徴とする、請求項１から６までの何れか１項記載のパレット。
【請求項８】
前記パレットが、異なる複数種類の材料、好適にはプラスチック、特に４０から６０重量%、例えば４５から５５重量%をプラスチックとし、残りを木材繊維とした、特に木材繊維を含むプラスチックから作られることを特徴とする、請求項１から７までの何れか１項記載のパレット。
【請求項９】
前記中央の足（８）の前記中央の支持部（１４）の水平断面領域は、最大水平断面を有する支持部（１３または１５）の水平断面領域の約３５％よりも小さいことを特徴とする、請求項１から８までの何れか１項記載のパレット。
【請求項１０】
前記パレットの長さ（L）よりも少し短い長さ（L'）を有する前記足（８）は、前記パレットの幅（B）の０.１０倍から０.２５倍、好適には、約０.２倍の幅（B）（図１）を有し、前記パレットの長さ（L）よりも少し短い長さ（L'）を有するその足（８）を除く前記足（２，３，４，５，６，７）（外側足）は、前記パレットの幅（B）の０.１０倍から０.１５倍、好適には、約０.１３倍の幅（b）（図４）を有することを特徴とする、請求項１から９までの何れか１項記載のパレット。
【請求項１１】
前記パレットの長さ（L）よりも少し短い長さ（L’）を有する前記足（８）は、２つの前記支持部（１３，１５）を含み、これら各支持部は、その足の長さ（L'）の０.１０倍から０.２５倍、好適には約０.２０倍の長さ（I’）を有し、前記パレットの長さ（L）よりも少し短い長さ（L'）を有するその足（８）を除く前記足（２，３，４，５，６，７）（外側足）は、前記パレットの長さ（L）の０.１０倍から０.３０倍、好適には約０.２５倍の長さI（図４）を有することを特徴とする、請求項１から１０までの何れか１項記載のパレット。
【請求項１２】
前記足（２，３，４，５，６，７，８）の高さ（h’）（図２）は、最大で前記パレット（１）の前記長さ（L）の約０.１３倍であることを特徴とする、請求項１から１１までの何れか１項記載のパレット。
【請求項１３】
前記パレットが、７６０ｍｍから８００ｍｍまでの幅（B）と、１１４０ｍｍから１２００ｍｍまでの長さ（L）と、１１０ｍｍから１５０ｍｍまでの高さ（h’）とを有するか、または前記寸法の、多くの他の適切な比率の何れかを有することを特徴とする、請求項１から１１までの何れか１項記載のパレット。
【発明の詳細な説明】
【技術分野】
【０００１】
本発明は、下側に複数の中空足を有するタイプのパレット（荷物運搬具）に関するものであり、これらの足は、パレット材料を押し下げることによって得られる。
【背景技術】
【０００２】
下方に向かう中空足を備えるパレットが知られている。各足の上方に志向する内側底面上には、小さい支持部分を備えることが知られており、この支持部分も、パレット上側に配置される商品を担持する。しかしながら、このパレットは、商品を積載し、積み重ねられた状態における防火性能に関して満足のいくものではない。
【発明の開示】
【発明が解決しようとする課題】
【０００３】
本発明の課題は、前文において開示されるタイプのパレットであって、従来技術よりも、下にあるパレット上の火を消すにあたりより効果的であって、そのため火が蔓延するリスクを減らすものである。さらに、このパレットは、適切にフレキシブルであって、特にローラーコンベヤーなどの、全ての輸送手段における輸送に適していなければならない。
【課題を解決するための手段】
【０００４】
本発明におけるパレットにおいて、前述の足の少なくとも１つは、パレットの長さまたは幅にほぼ対応する長さを有し、また、この足は、内側に並べて配列され、その底部分から突出する比較的幅の広い支持部を少なくとも２つ含むことを特徴とする。このようにすることで、商品を積載し、積み重ねられた状態でのパレットの火熱テストによれば、パレットは当該パレットの直ぐ下のパレット上の商品において発生した炎を消すというユニークな能力を有する。さらに、パレットは、優れた寸法安定性を示し、また、輸送手段、選択的にはローラーコンベヤー（衝撃の多い）、による商品の輸送に特に適する。
【０００５】
本発明によれば、支持部は中空としても良い。こうすることで、パレットは特に軽くなる。
【０００６】
さらに、本発明によれば、少なくとも３つのウェブが各支持部内に備えられても良い。こうすることで、パレットは、比較的頑強になる。
【０００７】
本発明によれば、各足が、それぞれの足の長さの０.１０倍から０.５６倍の幅を有するようにすると良い。この構成は、特に適切な実施例を提供する。
【０００８】
さらに、本発明によれば、パレットの長さにほぼ対応する長さ、および幅をそれぞれ有する前述の足が、パレットの長手方向および横方向のそれぞれから見て、パレットの中央に配置されると良い。このようにして、パレットの特に中央部分は、特に寸法安定性を呈する。
【０００９】
さらに、本発明によれば、長足の側壁には、支持部の間に位置する場所に、細長い穴が備えられると良い。これは、ある程度の材料削減につながる。
【００１０】
さらに、本発明によれば、少なくとも２つの、好適には４つのウェブが、各足の壁と、各支持部の壁との間に備えられ、前記ウェブは、例えば略U字型の形状を有しても良い。こうすることで、足の壁との関係において、およびパレットの囲み部分との関係において、支持部が特に安定し、そのためつまり、前記ウェブが支持部を"拘束"することになる。
【００１１】
さらに、本発明によれば、特に重量にして特に４５から５５重量%がプラスチックで、残りを木材繊維とした、特に木材繊維を含むプラスチックから作られると良い。この材料は、優れた強度と燃え難さを呈するので特に適切である。
【００１２】
さらに本発明によれば、前記足は、並べて配列され、底部分から突出する幅の広い支持部を少なくとも３つ含むと良い。これは特に適切なパレット構造を提供する。
【００１３】
本発明によれば、中央の足の中央の支持部の水平断面領域は、最大水平断面を有する支持部の水平断面領域の約３５％よりも小さくすると良い。この実施形態は、特に適切であることが示されている。
【００１４】
加えて、本発明によれば、パレットの長さLよりも少し短い長さを有する足は、パレットの幅Bの０.１０倍から０.２５倍、好適には、約０.２倍の幅を有し、このとき、パレットの長さLよりも少し短い長さを有する足を除く足（つまり、外側足）の幅bは、パレットの幅Bの０.１０倍から０.１５倍、好適には約０.１３倍とする。この構成は、パレットに適切な剛性をもたらすことが分かっている。
【００１５】
本発明によれば、パレットの長さLよりも少し短い長さL’を有する足は、２つの支持部を含み、これら各支持部は、その足の長さの０.１０倍から０.２５倍、好適には、約０.２０倍の長さを有し、パレットの長さLよりも少し短い長さL’を有する足を除く足は、パレットの長さの０.１０倍から０.３０倍、好適には、約０.２５倍の長さｌを有すると良い。こうすることで、パレットの中央領域は、一定のフレキシビリティを呈する。
【００１６】
さらに、本発明によれば、パレットの自由高さは、最大でパレットの長さの約０.１３倍とすると良い。こうすることで、比較的、フォークリフトトラックにより運びやすいパレットとなる。
【００１７】
最後に、本発明によれば、パレットが、７６０ｍｍから８００ｍｍまでの幅と、１１４０ｍｍから１２００ｍｍまでの長さと、１１０ｍｍから１５０ｍｍまでの高さとを有すると良い。この比率はほとんどのパレットに適切であることが分かっている。ただし、多く予想され得る他の比率でパレットを構成しても良い。
【発明を実施するための最良の形態】
【００１８】
図２に示されるパレット１は、その底面１０に複数の中空足２，３，４，５，６，７，８を備え、これらの足は、パレットの上側１１から完全にまたは部分的にパレット材料を押し下げることで得られる。図から明らかなように、中央足８（図２）は、長さL’を有し、この長さL’は、パレットの長さL（図１を参照）にほぼ対応する。この足８は、内側の比較的幅の広い支持部１３，１４，１５であって、並べて配列され、足の底部分から突出する支持部を３つ含む。
【００１９】
図３に示されるように、支持部１３，１４，および１５は、中空としてもよく、この中空部は下方へ向く。少なくとも２つのウェブ、好適には３つのウェブ２１，２２，２３が、各支持部１３，１４，１５（図４参照）の内側に配置される。
【００２０】
図４に示されるように、各足の有する幅ｂは、対応する足の長さLの０.１０-０.５６倍とする。
【００２１】
特に図１に示されるように、パレットの長さLにほぼ対応する長さL’を有する足８（図２参照）は、パレットの長手方向に見てパレットの中央に配置されても良い。
【００２２】
特に図２に明確に示されるように、長足８の横壁には、支持部１３，１４，および１５の間に位置する場所に、細長い穴２６，２７，２８および２９が備えられても良い。
【００２３】
図１に示されるように、少なくとも２つの、本実施例においては４つのウェブ４０，４１，４２，および４３が、各足８の壁３１と、各支持部１３の壁１３aとの間に備えられていてもよく、前記ウェブは、それぞれ略U字型の形状を有する。
【００２４】
図示されるパレット１は、異なる材料、好適にはプラスチック、特に４０から６０重量％、例えば４５から５５重量％をプラスチックとし、残りを木材繊維としたプラスチックから作られても良い。
【００２５】
中央の足８の中央の支持部１４の水平断面領域は、最大水平断面を有する支持部１３または１５の水平断面領域の約３５％よりも小さい。
【００２６】
中央足８（図２参照）は、パレットの長さLにほぼ対応する長さL’（図１参照）を有する。この足８の幅Bは、パレットの幅Bの０.１０倍から０.２５倍、好適には約０.２倍とする。足２，３，４，５，６，および７の幅ｂは、パレットの幅Bの０.１０倍から０.１５倍、好適には、０.１３倍としてもよい。
【００２７】
足８の２つの支持部１３および１５（図１参照）の長さｌ’は、それぞれ、足の長さＬ’の０.１０倍から０.２５倍、好適には約０.２０倍とする。上述の足８を除くこれらの足２，３，４，５，６，および７の長さｌは、パレットの長さＬの０.１０倍から０.３０倍、好適には約０.２５倍とする。
【００２８】
パレット１の自由高さｈ’は、最大で、パレットの長さの約０.１３倍までとする。ただし、図２において、自由高さｈ’は、パレットの長さＬの約０.０５倍に留まる。
【００２９】
パレット１は典型的には、長さＬが１１４０ｍｍから１２００ｍｍ、幅Ｂが７６０ｍｍから８００ｍｍ、および高さｈ'１１０ｍｍから１５０ｍｍを有しても良い。
【００３０】
本発明は、その範囲から逸脱することなく様々な修正が加えられることができる。
【図面の簡単な説明】
【００３１】
本発明は、以下の図とともに以下詳述される。
【図１】本発明によるパレットの第１実施例の斜視上側図である。
【図２】図１に示すパレットの斜視底面図である。
【図３】図１に示す支持部１３の、パレットの上側に対し垂直、かつパレットの前方エッジと平行な平面における断面図である。
【図４】図１に示すパレットの完全底面図である。
【図１】
2009519182.tif 000003
【図２】
2009519182.tif 000004
【図３】
2009519182.tif 000005
【図４】
2009519182.tif 000006
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
プラスチック材料または他の材料から作られ、下側（１０）に複数の中空の足（２，３，４，５，６，７，８）を有し、前記足が、パレット材料を押し下げることで得られるタイプのパレット（１）であって、前記足（８）の少なくとも１つが、前記パレット（１）の長さ（L）または幅（B）にほぼ対応する長さ（L'）を有して、前記パレットの長手方向または横方向のそれぞれから見て前記パレット（１）の中央に配置され、前記長い足（８）が、内側に配列され、前記足（８）の底部分から並んで突出する比較的幅の広い、少なくとも２つの支持部（１３，１４，１５）を含むパレット（１）において、
各前記足（８）の前記底部分は、水平な壁（１６）であり、各前記支持部（１３，１４，１５）は中空であって、前記水平な壁（１６）から直接押し上げられていることを特徴とするパレット。
【請求項２】
少なくとも２つの、好適には３つのウェブ（２１，２２，２３）が前記各支持部（１３）内に備えられたことを特徴とする、請求項１に記載のパレット。
【請求項３】
前記各足（２，３，４，５，６，７，８）が、対応する前記足の長さ（lまたはL）の０.１０倍から０.５６倍の幅（bまたはB）を有することを特徴とする、請求項１または２に記載のパレット。
【請求項４】
前記長い足（８）の側壁には、前記支持部（１３，１４，１５）の間に位置する場所に、細長い穴（２６，２７，２８，２９）が備えられたことを特徴とする、請求項１から３までの何れか１項に記載のパレット。
【請求項５】
少なくとも２つの、好適には４つのウェブ（４０，４１，４２，４３）が、前記各足（８）の壁（３１）と、前記各支持部（１３）の壁（１３a）との間に備えられ、前記ウェブは、例えば略U字型の形状を有することを特徴とする、請求項１から４までの何れか１項に記載のパレット。
【請求項６】
前記パレットが、異なる複数種類の材料、好適にはプラスチック、特に４０から６０重量%、例えば４５から５５重量%をプラスチックとし、残りを木材繊維とした、特に木材繊維を含むプラスチックから作られることを特徴とする、請求項１から５までの何れか１項に記載のパレット。
【請求項７】
前記中央の足（８）の前記中央の支持部（１４）の水平断面積は、最大水平断面を有する支持部（１３または１５）の水平断面積の約３５％よりも小さいことを特徴とする、請求項１から６までの何れか１項に記載のパレット。
【請求項８】
前記パレットの長さ（L）よりも少し短い長さ（L'）を有する前記足（８）は、前記パレットの幅（B）の０.１０倍から０.２５倍、好適には約０.２倍の幅（B）（図１）を有し、前記パレットの長さ（L）よりも少し短い長さ（L'）を有する足（８）を除く前記足（２，３，４，５，６，７）（外側の足）は、前記パレットの幅（B）の０.１０倍から０.１５倍、好適には、約０.１３倍の幅（b）（図４）を有することを特徴とする、請求項１から７までの何れか１項に記載のパレット。
【請求項９】
前記パレットの長さ（L）よりも少し短い長さ（L’）を有する前記足（８）は、２つの前記支持部（１３，１５）を含み、これら各支持部は、その足の長さ（L'）の０.１０倍から０.２５倍、好適には約０.２０倍の長さ（l’）を有し、前記パレットの長さ（L）よりも少し短い長さ（L'）を有する足（８）を除く
前記足（２，３，４，５，６，７）（外側の足）は、前記パレットの長さ（L）の０.１０倍から０.３０倍、好適には約０.２５倍の長さl（図４）を有することを特徴とする、請求項１から８までの何れか１項に記載のパレット。
【請求項１０】
前記足（２，３，４，５，６，７，８）の高さ（h’）（図２）は、最大で前記パレット（１）の前記長さ（L）の約０.１３倍であることを特徴とする、請求項１から９までの何れか１項に記載のパレット。
【請求項１１】
前記パレットが、７６０ｍｍから８００ｍｍまでの幅（B）と、１１４０ｍｍから１２００ｍｍまでの長さ（L）と、１１０ｍｍから１５０ｍｍまでの高さ（h’）とを有することを特徴とする、請求項１から１０までの何れか１項に記載のパレット。
【国際調査報告】
2009519182.tif 000007
2009519182.tif 000008
2009519182.tif 000009